(57)【要約】【課題】意匠グリルの取り付け向きの誤りを容易に認識でき、意匠グリルの確実な取り付けを可能とする換気扇を得ること。【解決手段】換気扇は、風洞と、風洞の前方端に繋げられたフランジ部と、フランジ部に設けられた第１の嵌合部と、を有する本体フレームと、第１の嵌合部へ嵌め合わせ可能な第２の嵌合部である爪部３４，３５を有し、第１の嵌合部への第２の嵌合部の嵌め合わせによりフランジ部に着脱可能に取り付けられて本体フレームを覆う意匠グリル６と、を備える。意匠グリル６は、後方へ向けて立てられた突起３６ａ，３６ｂを有する。第１の嵌合部へ第２の嵌合部を正常に嵌め合わせ可能であるときの意匠グリル６の向きである第１の向きとは異なる第２の向きとされた意匠グリル６がフランジ部へ押し当てられたときに、嵌め合わせ可能な位置に第２の嵌合部が到達する前に突起３６ａ，３６ｂがフランジ部に当接可能とされている。【選択図】図５
2019060558.tif 000002
【特許請求の範囲】
【請求項１】
空気流を発生させる送風機と、
前記空気流が通過する風洞と、前記風洞の前方端に繋げられたフランジ部と、前記フランジ部に設けられた第１の嵌合部と、を有し、前記送風機が取り付けられた本体フレームと、
前記第１の嵌合部へ嵌め合わせ可能な第２の嵌合部を有し、前記第１の嵌合部への前記第２の嵌合部の嵌め合わせにより前記フランジ部に着脱可能に取り付けられて前記本体フレームを覆う意匠グリルと、
を備え、
前記意匠グリルは、後方へ向けて立てられた突起を有し、
前記意匠グリルが、前記第１の嵌合部へ前記第２の嵌合部を正常に嵌め合わせ可能であるときの向きである第１の向きとは異なる第２の向きとされて前記フランジ部へ押し当てられたときに、嵌め合わせ可能な位置に前記第２の嵌合部が到達する前に前記突起が前記フランジ部に当接可能とされていることを特徴とする換気扇。
【請求項２】
前記意匠グリルは、
前記本体フレームを覆う前面部と、
前記前面部の外縁に設けられ、前記前面部から後方へ向けて立てられた枠部と、
を備え、
前記突起は、前記前面部の背面のうち前記枠部に隣接する位置に設けられていることを特徴とする請求項１に記載の換気扇。
【請求項３】
前記フランジ部は、
前記風洞の前方端に繋げられた平坦部と、
前記平坦部の外縁に設けられ、前記平坦部から後方へ向けて立てられた立ち上がり部と、
前記平坦部のうち前記立ち上がり部に隣接する一部領域を後方へ凹ませた形状をなして、前記本体フレームが据え付けられる据付面に当接可能とされた当接部と、
を備え、
前記突起の位置は、前記意匠グリルが前記第１の向きとされた場合において前記当接部に対向する位置であって、前記意匠グリルが前記第２の向きとされた場合において前記当接部以外の前記平坦部に対向する位置であることを特徴とする請求項２に記載の換気扇。
【請求項４】
前記当接部は、前後方向である第１の方向に垂直な第２の方向における前記フランジ部の中心である中心線上に位置しており、
前記突起は、前記第１の向きとされた前記意匠グリルのうち第２の方向における前記意匠グリルの中心である中心線から第１の長さの位置に立てられており、
前記当接部のうち第２の方向における第１端と前記フランジ部の前記中心線との間の第２の長さは、前記第１の長さより長く、かつ、前記当接部のうち第２の方向における第２端と前記フランジ部の前記中心線との間の第３の長さは、前記第１の長さより短いことを特徴とする請求項３に記載の換気扇。
【請求項５】
前記意匠グリルにおける前記突起の後方端と前記枠部の後方端との前後方向における間隔は、前記フランジ部の前記立ち上がり部のうち前記当接部に隣接する部分の前後方向における幅より長いことを特徴とする請求項３または４に記載の換気扇。
【請求項６】
前記前面部の背面に、前記突起以外の複数の突起が設けられていることを特徴とする請求項３から５のいずれか１つに記載の換気扇。
【発明の詳細な説明】
【技術分野】
【０００１】
本発明は、意匠グリルを備える換気扇に関する。
【背景技術】
【０００２】
室内と屋外とを繋ぐパイプあるいはダクトに室内側から挿入されて据え付けられる換気扇において、送風機を含む本体を室内にて覆う意匠グリルを備えるものがある。換気扇の据え付けの際には、建物の壁あるいは天井に設けられた開口からパイプあるいはダクトへ本体が挿入されて、本体に意匠グリルが取り付けられる。
【０００３】
特許文献１には、意匠グリルが本体へ着脱可能に取り付けられた換気扇が開示されている。
【先行技術文献】
【特許文献】
【０００４】
【特許文献１】特許第４６４５０９８号公報
【発明の概要】
【発明が解決しようとする課題】
【０００５】
意匠グリルは、本体に対して意匠グリルが特定の向きとされて意匠グリル側の嵌合部と本体側の嵌合部とが互いに嵌まり合うことにより、本体に正常に取り付け可能とされている場合がある。このような意匠グリルの取り付け作業において、意匠グリルが正しい取り付け向きとは異なる誤った向きとされて、嵌合部同士が正常に嵌り合わない状態となることがある。この場合において、意匠グリル側の嵌合部が本体側の嵌合部以外の部分に引っ掛かることで、本体に意匠グリルが正常に取り付けられたように見受けられて、意匠グリルの取り付け向きの誤りが作業者に気づかれず放置される場合がある。
【０００６】
特許文献１の換気扇では、意匠グリルの向きの誤りがあっても、一方の嵌合部が他方の嵌合部以外の部分に引っ掛かることで、意匠グリルが正常に取り付けられたように見受けられることがあり得る。このため、特許文献１の換気扇は、意匠グリルの取り付け向きの誤りが見過ごされる場合があるという問題があった。
【０００７】
本発明は、上記に鑑みてなされたものであって、意匠グリルの取り付け向きの誤りを容易に認識でき、意匠グリルの確実な取り付けを可能とする換気扇を得ることを目的とする。
【課題を解決するための手段】
【０００８】
上述した課題を解決し、目的を達成するために、本発明にかかる換気扇は、空気流を発生させる送風機と、空気流が通過する風洞と、風洞の前方端に繋げられたフランジ部と、フランジ部に設けられた第１の嵌合部と、を有し、送風機が取り付けられた本体フレームと、第１の嵌合部へ嵌め合わせ可能な第２の嵌合部を有し、第１の嵌合部への第２の嵌合部の嵌め合わせによりフランジ部に着脱可能に取り付けられて本体フレームを覆う意匠グリルと、を備える。意匠グリルは、後方へ向けて立てられた突起を有する。第１の嵌合部へ第２の嵌合部を正常に嵌め合わせ可能であるときの意匠グリルの向きである第１の向きとは異なる第２の向きとされた意匠グリルがフランジ部へ押し当てられたときに、嵌め合わせ可能な位置に第２の嵌合部が到達する前に突起がフランジ部に当接可能とされている。
【発明の効果】
【０００９】
本発明によれば、意匠グリルの取り付け向きの誤りを容易に認識でき、意匠グリルの確実な取り付けが可能となるという効果を奏する。
【図面の簡単な説明】
【００１０】
【図１】本発明の実施の形態１にかかる換気扇の断面図
【図２】図１に示す換気扇の背面図
【図３】図１に示す意匠グリルが取り外されている換気扇の前方斜視図
【図４】図１に示す意匠グリルが取り外されている換気扇の正面図
【図５】図１に示す意匠グリルの後方斜視図
【図６】図１に示す意匠グリルの背面図
【図７】図３に示すフランジ部への意匠グリルの取り付けについて説明する第１の図
【図８】図３に示すフランジ部への意匠グリルの取り付けについて説明する第２の図
【図９】図３に示すフランジ部への意匠グリルの取り付けについて説明する第３の図
【図１０】本発明の実施の形態２にかかる換気扇に備えられた意匠グリルの後方斜視図
【発明を実施するための形態】
【００１１】
以下に、本発明の実施の形態にかかる換気扇を図面に基づいて詳細に説明する。なお、この実施の形態によりこの発明が限定されるものではない。
【００１２】
実施の形態１．
図１は、本発明の実施の形態１にかかる換気扇１００の断面図である。図２は、図１に示す換気扇１００の背面図である。図３は、図１に示す意匠グリル６が取り外されている換気扇１００の前方斜視図である。図４は、図１に示す意匠グリル６が取り外されている換気扇１００の正面図である。換気扇１００は、建物の壁あるいは天井に据え付けられる。図１には、壁に据え付けられている換気扇１００を示している。
【００１３】
以下の説明にて、換気扇１００のうち意匠グリル６が向けられている方向を前方、前方とは逆の方向を後方とする。また、前方および後方を前後方向と称することがある。前後方向は、第１の方向とする。図４に示す矢印Ａ，Ｂは、据え付けられた換気扇１００を正面から見たときの方向を表し、矢印Ａの方向を上方向、矢印Ｂの方向を下方向とする。また、上方向および下方向を上下方向と称することがある。上下方向は、前後方向に垂直な方向であって、第２の方向とする。また、図４の紙面に平行かつ矢印Ａと矢印Ｂとに垂直な方向を、左右方向とする。左右方向は、前後方向に垂直かつ上下方向に垂直な方向であって、第３の方向とする。
【００１４】
換気扇１００は、室内と屋外とを繋いで配設されたパイプ１に室内側から挿入されて、室内の壁面である据付面２に据え付けられる。パイプ１のうち室内側の開放端は、据付面２に形成されている開口３に繋げられている。換気扇１００は、室内から屋外への排気あるいは屋外から室内への給気により、室内を換気する。なお、換気扇１００は、パイプ１に代えて、室内と屋外とを繋いで配設されたダクトに据え付けられても良い。
【００１５】
換気扇１００は、空気流を発生させる送風機４と、送風機４が取り付けられた本体フレーム５と、室内にて本体フレーム５を覆う意匠グリル６とを備える。送風機４と本体フレーム５とは、換気扇１００の本体を構成している。
【００１６】
送風機４は、回転軸７に連結されている羽根車８と、回転軸７を回転駆動する電動機９とを備える。羽根車８は、プロペラファンである。本体フレーム５は、空気流が通過する円筒状の風洞１０と、風洞１０の前方端である開口部１２に繋げられたフランジ部１１とを備える。本体フレーム５は、樹脂により一体成形されている。風洞１０は、換気扇１００の通風路である。開口部１２は、後方から前方へ向かうにしたがい開口径が拡張されたベルマウス形状をなしている。送風機４は、風洞１０の円筒中心に回転軸７が一致するように配置されている。送風機４は、風洞１０内にて羽根車８を回転させて、風洞１０を通る空気流を発生させる。
【００１７】
風洞１０の後方端には、互いに間隔をなして配置された４つの脚部１４が後方へ向けて立てられている。４つの脚部１４は、風洞１０の円筒外周よりも円筒半径方向における円筒中心側に位置している。各脚部１４の後方端には、脚部１４から円筒中心側への向きである内向きに延びる橋絡部１５が取り付けられている。電動機９に取り付けられている電動機カバー１６は、橋絡部１５により支持されている。板バネ１７は、４つの橋絡部１５のうちの１つに取り付けられている。板バネ１７のうち橋絡部１５とは逆側の端部はパイプ１の内壁に当接される。換気扇１００の本体は、板バネ１７の弾性力によりパイプ１内にて保持されている。
【００１８】
フランジ部１１は、風洞１０の前方端である開口部１２に繋げられた平坦部２５を含む。平坦部２５は、開口部１２から円筒半径方向における外向きに広がりを持たせて設けられている。平坦部２５の外縁全体には、平坦部２５から後方へ向けて立てられた立ち上がり部１３が設けられている。立ち上がり部１３の後方端は、据付面２に当接する。本体を正面から見たときに、フランジ部１１の外形は、正方形あるいは長方形である矩形をなしている。なお、フランジ部１１の外形は、矩形以外の形状であっても良く、円形であっても良い。
【００１９】
図２に示すフランジ部１１の背面の一角部分には、電動機９に接続された内部配線と外部電源電線とを接続可能な回転式の端子台１９が設けられている。また、フランジ部１１の背面には、閉端接続子等の電気接続部品が収納されてリード線、リード線結線部または電気接続部品への接触を防止する結線部保護カバー２０が取り付けられている。図１から図４では、電気接続部品、リード線およびリード線結線部の図示を省略している。
【００２０】
図３および図４に示すように、立ち上がり部１３のうちフランジ部１１の矩形における上部の１辺をなす部分には、２つの掛け留め部２２が設けられている。立ち上がり部１３のうちフランジ部１１の矩形における下部の１辺をなす部分には、２つの掛け留め部２３が設けられている。掛け留め部２２，２３は、フランジ部１１に設けられている第１の嵌合部である。意匠グリル６には、掛け留め部２２，２３へ嵌め合い可能な第２の嵌合部が設けられている。第２の嵌合部については後述する。
【００２１】
フランジ部１１には、４つの当接部２４ａ，２４ｂ，２４ｃ，２４ｄが設けられている。４つの当接部２４ａ，２４ｂ，２４ｃ，２４ｄは、平坦部２５のうち立ち上がり部１３に隣接する一部領域を後方へ凹ませた形状をなして、据付面２に当接可能とされている。
【００２２】
当接部２４ａは、第１の当接部である。当接部２４ａは、フランジ部１１の矩形における左右の２辺のうち一方の辺の中央付近に位置している。当接部２４ｂは、第２の当接部である。当接部２４ｂは、当該左右の２辺のうち他方の辺の中央付近に位置している。第１の当接部および第２の当接部以外の２つの当接部２４ｃ，２４ｄは、フランジ部１１の矩形における対角に位置している。
【００２３】
各当接部２４ａ，２４ｂ，２４ｃ，２４ｄには、木ネジ２１が通される孔１８が設けられている。換気扇１００の本体は、孔１８を通された木ネジ２１によって据付面２に固定される。木ネジ２１は、換気扇１００の出荷時において、図２に示すようにフランジ部１１の背面に収納されている。木ネジ２１は、換気扇１００が据え付けられる際にフランジ部１１の背面から取り外されて使用される。
【００２４】
幅Ｌ１は、立ち上がり部１３のうち当接部２４ａに隣接する部分１３ａの前後方向における幅であって、立ち上がり部１３のうち据付面２へ当接される後方端１３ｅと、部分１３ａの前方端１３ｆとの間の幅とする。立ち上がり部１３のうち当接部２４ｂに隣接する部分１３ｂも、部分１３ａと同じ幅Ｌ１をなす。幅Ｌ２は、立ち上がり部１３のうち部分１３ａ，１３ｂ，１３ｃ，１３ｄ以外の部分における幅であって、立ち上がり部１３のうち据付面２へ当接される後方端１３ｅから平坦部２５までの幅とする。幅Ｌ２は、前後方向におけるフランジ部１１の厚みに相当する。幅Ｌ１は、幅Ｌ２より狭く、Ｌ１＜Ｌ２の関係が成り立つ。
【００２５】
図４において、中心線Ｎ１は、上下方向におけるフランジ部１１の中心を表す。中心線Ｎ２は、左右方向におけるフランジ部１１の中心を表す。中心線Ｎ１と中心線Ｎ２との交点の位置は、回転軸７の位置に一致している。
【００２６】
長さＬ１１は、当接部２４ａのうち中心線Ｎ２側の側端と中心線Ｎ２との間の左右方向における長さである。当接部２４ａは、中心線Ｎ２との間に長さＬ１１の間隔を設けて配置されている。当接部２４ａは、中心線Ｎ１上に位置している。長さＬ１２は、当接部２４ａの第１端である上方端と中心線Ｎ１との間の上下方向における長さである。長さＬ１３は、当接部２４ａの第２端である下方端と中心線Ｎ１との間の上下方向における長さである。長さＬ１２は長さＬ１３より長く、Ｌ１２＞Ｌ１３の関係が成り立つ。当接部２４ａは、中心線Ｎ１から長さＬ１２の位置と中心線Ｎ１から長さＬ１３の位置との間の範囲に位置している。上下方向における当接部２４ａの中心位置は、中心線Ｎ１から上方へシフトしている。当接部２４ｂは、中心線Ｎ２に対して当接部２４ａとは対称な位置であって、中心線Ｎ２から長さＬ１１の位置に設けられている。当接部２４ｂは、当接部２４ａと同様に、中心線Ｎ１上に配置されており、中心線Ｎ１から長さＬ１２の位置と中心線Ｎ１から長さＬ１３の位置との間の範囲に位置している。
【００２７】
図５は、図１に示す意匠グリル６の後方斜視図である。図６は、図１に示す意匠グリル６の背面図である。図５には、意匠グリル６の全体の構成を示すとともに、意匠グリル６のうち突起３６ａを含む部分を拡大して示している。
【００２８】
意匠グリル６は、フランジ部１１に着脱可能に取り付けられて本体フレーム５を前方から覆う。意匠グリル６は、格子３３を有する格子タイプの意匠グリルである。意匠グリル６は、樹脂により成形される。意匠グリル６は、フランジ部１１と同様の矩形をなしており、フランジ部１１の全体を被覆可能とされている。意匠グリル６は、格子３３が設けられ本体フレーム５を覆う前面部３１と、前面部３１の外縁全体に設けられ前面部３１から後方へ向けて立てられた枠部３２とを備える。意匠グリル６がフランジ部１１に取り付けられることにより、枠部３２の後方端３２ａは、据付面２へ当接される。
【００２９】
意匠グリル６は、第１の嵌合部である掛け留め部２２，２３に嵌め合い可能な第２の嵌合部である爪部３４，３５を備える。爪部３４は、枠部３２のうち意匠グリル６の矩形における上部の１辺をなす部分であって、図３および図４に示す掛け留め部２２に対応する２箇所に設けられている。爪部３５は、枠部３２のうち意匠グリル６の矩形における下部の１辺をなす部分であって、図３および図４に示す掛け留め部２３に対応する２箇所に設けられている。
【００３０】
意匠グリル６は、換気扇１００の本体に対して意匠グリル６が特定の向きとされて意匠グリル６の爪部３４，３５とフランジ部１１の掛け留め部２２，２３とが互いに嵌まり合うことにより、本体に正常に取り付けられる。掛け留め部２２，２３へ爪部３４，３５を正常に嵌め合わせ可能であって、本体へ意匠グリル６を正しく取り付け可能であるときの意匠グリル６の向きを、第１の向きとする。図５および図６には、第１の向きとされた意匠グリル６を示している。
【００３１】
突起３６ａ，３６ｂは、意匠グリル６の取り付け向きの誤りを防止するために設けられた突起である。突起３６ａ，３６ｂは、前面部３１の背面３１ａのうち枠部３２に隣接する位置にて、後方へ向けて立てられている。第１の突起である突起３６ａは、意匠グリル６の矩形における左右の２辺のうちの一方に隣接する位置に設けられている。突起３６ａの位置は、図３および図４に示す立ち上がり部１３のうち当接部２４ａに隣接する部分１３ａに対応する位置である。第２の突起である突起３６ｂは、当該左右の２辺のうちの他方に隣接する位置に設けられている。突起３６ｂの位置は、立ち上がり部１３のうち当接部２４ｂに隣接する部分１３ｂに対応する位置である。
【００３２】
複数の突起３７は、換気扇１００が梱包された状態にて、本体フレーム５のうち意匠グリル６との接触によるキズが生じ得る範囲を抑制するために設けられた突起である。各突起３７は、前面部３１の背面３１ａから後方へ向けて立てられている。複数の突起３７は、意匠グリル６の矩形の４辺において分散されて、枠部３２に隣接する位置に配置されている。図６に示す意匠グリル６では、矩形のうち４辺の１つである上辺に隣接する２つの突起３７が設けられている。矩形のうち下辺に隣接する位置には、２つの突起３７が設けられている。左右２辺のうち突起３６ａがある１辺に隣接する位置には、１つの突起３７が設けられている。左右２辺のうち突起３６ｂがある１辺に隣接する隣接する位置には、２つの突起３７が設けられている。なお、前後方向における突起３７の長さは、意匠グリル６がフランジ部１１に取り付けられたときにフランジ部１１の立ち上がり部１３に当たらない長さに設定されている。意匠グリル６に設けられる突起３７の位置と数とは、任意であるものとする。
【００３３】
換気扇１００の流通過程にて、輸送時の振動により、本体フレーム５と意匠グリル６とが互いに接触することがある。実施の形態１において、本体フレーム５のうち意匠面となるフランジ部１１には、意匠グリル６のうち複数の突起３７が接触する。意匠グリル６のうちフランジ部１１と接触する部分の面積は、突起３７が設けられていない場合に比べて低減される。これにより、換気扇１００は、突起３７が設けられていることで、輸送時の振動によりフランジ部１１にてキズが生じ得る範囲を抑制することができる。
【００３４】
突起３６ａ，３６ｂは、輸送時の振動があった場合に部分１３ａ，１３ｂに接触することで、突起３７と同様に、キズが生じ得る範囲を抑制させる役割を果たす。換気扇１００は、突起３７と突起３６ａ，３６ｂとが設けられていることで、輸送時の振動によりフランジ部１１にキズが生じ得る範囲を抑制することができる。
【００３５】
間隔Ｌ３は、前後方向における突起３６ａの後方端３６ｃと枠部３２の後方端３２ａとの間隔である。前後方向における突起３６ａの長さは、前後方向における枠部３２の幅から間隔Ｌ３を差し引いた長さである。間隔Ｌ３は、フランジ部１１の部分１３ａの前後方向における幅である後方端１３ｅと前方端１３ｆとの間の幅Ｌ１より長く、かつ立ち上がり部１３の幅Ｌ２より短い。フランジ部１１の各幅Ｌ１，Ｌ２と、意匠グリル６の間隔Ｌ３との間には、Ｌ１＜Ｌ３＜Ｌ２の関係が成り立つ。なお、間隔Ｌ３は、幅Ｌ１と同じであっても良く、Ｌ１＝Ｌ３の関係が成り立つこととしても良い。
【００３６】
図６において、中心線Ｎ３は、意匠グリル６を正面から見たときの上下方向における意匠グリル６の中心位置を表す。中心線Ｎ４は、意匠グリル６を正面から見たときの左右方向における意匠グリル６の中心位置を表す。意匠グリル６の中心線Ｎ３と中心線Ｎ４との交点の位置は、フランジ部１１の中心線Ｎ１と中心線Ｎ２との交点の位置に一致している。
【００３７】
長さＬ１４は、突起３６ａのうち中心線Ｎ４側の側端と中心線Ｎ４との間の左右方向における長さである。突起３６ａは、中心線Ｎ４との間に長さＬ１４の間隔を設けて配置されている。長さＬ１４は、フランジ部１１における当接部２４ａと中心線Ｎ２との間の長さＬ１１より長く、Ｌ１４＞Ｌ１１の関係が成り立つ。
【００３８】
第１の長さである長さＬ１５は、上下方向における意匠グリル６の中心である中心線Ｎ３と突起３６ａとの間の長さである。突起３６ａは、中心線Ｎ３から長さＬ１５だけ上方の位置に立てられている。突起３６ｂは、中心線Ｎ４に対して突起３６ａとは対称な位置であって、中心線Ｎ４との間に長さＬ１４の間隔を設けて配置されている。突起３６ｂは、突起３６ａと同様に、中心線Ｎ３から長さＬ１５だけ上方の位置に立てられている。
【００３９】
第２の長さである長さＬ１２は、第１の長さである長さＬ１５より長い。長さＬ１２は、当接部２４ａのうち上下方向における第１端である上方端とフランジ部１１の中心線Ｎ１との間の長さである。第３の長さであるＬ１３は、長さＬ１５より短い。長さＬ１３は、当接部２４ａのうち上下方向における第２端である下方端と中心線Ｎ１との間の長さである。フランジ部１１の各長さＬ１２，Ｌ１３と意匠グリル６のＬ１５との間には、Ｌ１２＞Ｌ１５＞Ｌ１３の関係が成り立つ。
【００４０】
意匠グリル６の取り付け作業において、意匠グリル６が第１の向きとは異なる誤った向きとされることがある。意匠グリル６の取り付け向きの誤りには、意匠グリル６が第１の向きの状態に対し中心位置回りに１８０度回転された状態とされる誤りと、意匠グリル６が第１の向きの状態に対し中心位置回りに９０度回転された状態とされる誤りとがあり得る。第１の向きの状態に対し９０度回転された状態には、本体を前方から見て右回りに９０度回転された状態と、左回りに９０度回転された状態との双方が含まれる。
【００４１】
第１の向きに対して意匠グリル６が１８０度回転されている場合、換気扇１００の本体を正面から見たときにおいて、意匠グリル６は、第１の向きとされた場合に対して上下が逆となる。第１の向きに対して１８０度回転されているときの意匠グリル６の向きを、逆向きと称する。かかる逆向きは、第１の向きとは異なる向きである第２の向きの１つである。本体正面の外形および意匠グリル６の外形が矩形である場合、意匠グリル６が逆向きであっても、意匠グリル６の外形は本体正面の外形に合致する。このため、意匠グリル６の取り付けのときに、意匠グリル６が逆向きとされる誤りが起こり得る。
【００４２】
第１の向きに対して９０度回転されているときの意匠グリル６の向きを、横向きと称する。かかる横向きは、第１の向きとは異なる向きである第２の向きの１つである。本体正面の外形および意匠グリル６の外形が正方形である場合、意匠グリル６が横向きであっても、意匠グリル６の外形は本体正面の外形に合致する。このため、意匠グリル６の取り付けのときに、意匠グリル６が横向きとされる誤りが起こり得る。なお、本体正面の外形と意匠グリル６の外形とが長方形である場合、意匠グリル６が横向きとされたときに、意匠グリル６の外形は本体正面の外形に合致しないこととなる。この場合も、双方の外形が合致していないことが見過ごされることがあり得るため、本体正面の外形と意匠グリル６の外形とが長方形である場合でも意匠グリル６が横向きとされる誤りは起こり得る。
【００４３】
実施の形態１では、突起３６ａ，３６ｂは、第２の向きである逆向きあるいは横向きとされた意匠グリル６が本体フレーム５へ押し当てられたときにフランジ部１１に当接可能に設けられている。突起３６ａ，３６ｂの位置は、意匠グリル６が第１の向きとされた場合において当接部２４ａ，２４ｂに対向する位置である。また、突起３６ａ，３６ｂの位置は、意匠グリル６が逆向きあるいは横向きとされた場合において当接部２４ａ，２４ｂ以外の平坦部２５に対向する位置である。
【００４４】
第１の向きとされた意匠グリル６がフランジ部１１に押し当てられた際において、突起３６ａ，３６ｂがフランジ部１１に当接せずに、意匠グリル６はフランジ部１１に取り付けられる。その一方、第２の向きである逆向きあるいは横向きとされた意匠グリル６がフランジ部１１へ押し当てられた場合、フランジ部１１のうち嵌め合わせ可能な位置である立ち上がり部１３に爪部３４，３５が到達する前に、突起３６ａ，３６ｂがフランジ部１１に当接する。
【００４５】
図７は、図３に示すフランジ部１１への意匠グリル６の取り付けについて説明する第１の図である。図７では、正しい取り付け向きである第１の向きとされた意匠グリル６がフランジ部１１へ押し当てられて、フランジ部１１へ意匠グリル６が取り付けられた状態を示している。図７には、意匠グリル６が取り付けられた換気扇１００の全体の構成を示すとともに、換気扇１００のうち当接部２４ａと突起３６ａとを含む部分を拡大して示している。
【００４６】
作業者は、意匠グリル６の背面３１ａを、据付面２に固定された本体に対向させて、第１の向きとされた意匠グリル６をフランジ部１１へ押し当てる。第１の向きとされた意匠グリル６の爪部３４，３５の位置がフランジ部１１の掛け留め部２２，２３の位置と一致することで、爪部３４，３５が掛け留め部２２，２３へ嵌め込まれる。これにより、意匠グリル６はフランジ部１１へ取り付けられる。
【００４７】
意匠グリル６は、第１の向きとされることで、意匠グリル６の矩形のうち突起３６ａに隣接する１辺が、フランジ部１１の矩形のうち当接部２４ａが設けられている１辺に合わせられて、フランジ部１１へ押し当てられる。上述するように、左右方向において、フランジ部１１と意匠グリル６とにＬ１４＞Ｌ１１の関係が成り立つことで、左右方向における突起３６ａの位置は、当接部２４ａに位置する。
【００４８】
また、上下方向において、フランジ部１１と意匠グリル６とにＬ１２＞Ｌ１５の関係が成り立つことで、上下方向における突起３６ａの位置は、当接部２４ａの上方端と中心線Ｎ１との間の位置となる。突起３６ａの位置は、立ち上がり部１３のうち当接部２４ａに隣接する部分１３ａに対向する位置となる。
【００４９】
さらに、上述するように、前後方向において、フランジ部１１と意匠グリル６とにＬ１＜Ｌ３の関係が成り立つことで、突起３６ａの後方端３６ｃと部分１３ａの前方端１３ｆとの間に隙間が設けられる。当接部２４ｂと突起３６ｂとの位置関係も、当接部２４ａと突起３６ａとの位置関係と同様であるため、突起３６ｂおよび部分１３ｂの間にも、突起３６ａおよび部分１３ａの間と同様に隙間が設けられる。突起３６ａ，３６ｂと部分１３ａ，１３ｂとの間に隙間が設けられて、突起３６ａ，３６ｂがフランジ部１１に当たらないことで、本体フレーム５に対する意匠グリル６の不安定な浮きが無いようにするとともに、意匠グリル６の後方端３２ａの全体を据付面２に当接させて、意匠グリル６の安定した設置が可能となる。さらに、爪部３４，３５が掛け留め部２２，２３へ正しく嵌め込まれることで、換気扇１００は、意匠グリル６をがたつき無く安定して保持することができる。
【００５０】
なお、Ｌ１＝Ｌ３の関係が成り立つ場合は、突起３６ａの後方端３６ｃは、部分１３ａに当接する。この場合、前後方向における突起３６ａと部分１３ａを合わせた長さは、前後方向における枠部３２の長さと同じとなる。前後方向における突起３６ｂと部分１３ｂを合わせた長さも、前後方向における枠部３２の長さと同じとなる。この場合も、本体フレーム５に対する意匠グリル６の不安定な浮きが無いようにすることができるとともに、意匠グリル６の後方端３２ａの全体を据付面２に当接させて、意匠グリル６の安定した設置が可能となる。
【００５１】
図８は、図３に示すフランジ部１１への意匠グリル６の取り付けについて説明する第２の図である。図８では、第２の向きの１つである逆向きとされた意匠グリル６がフランジ部１１へ押し当てられた状態を示している。図８には、意匠グリル６が押し当てられているときの換気扇１００の全体の構成を示すとともに、換気扇１００のうち当接部２４ｂと突起３６ａとを含む部分を拡大して示している。
【００５２】
意匠グリル６が逆向きとされていることで、掛け留め部２２，２３に対する爪部３４，３５の位置は、意匠グリル６が第１の向きとされる場合とは上下が逆となる。掛け留め部２２，２３へ爪部３４，３５を正常に嵌め込み可能な第１の向きのときとは爪部３４，３５と掛け留め部２２，２３との位置関係が異なることで、掛け留め部２２，２３への爪部３４，３５の正常な嵌め込みはなされない。
【００５３】
意匠グリル６は、逆向きとされることで、意匠グリル６の矩形のうち突起３６ａに隣接する１辺が、フランジ部１１の矩形のうち当接部２４ｂが設けられている１辺に合わせられて、フランジ部１１へ押し当てられる。上述するように、上下方向において、フランジ部１１と意匠グリル６とにＬ１５＞Ｌ１３の関係が成り立つことで、上下方向における突起３６ａの位置は、当接部２４ｂの下方端より下方の位置となる。突起３６ａの位置は、立ち上がり部１３のうち当接部２４ｂより下方の部分に対向する位置となる。突起３６ａの後方端３６ｃは、立ち上がり部１３に当接する。このように、意匠グリル６が逆向きとされてフランジ部１１へ押し当てられたときに、嵌め合わせ可能な位置に爪部３４，３５が到達する前に突起３６ａがフランジ部１１に当接可能とされている。意匠グリル６が逆向きとされた場合における爪部３４，３５が嵌め合わせ可能な位置は、立ち上がり部１３とされる。
【００５４】
意匠グリル６のうち突起３６ａが設けられている位置では、意匠グリル６の後方端３２ａが、長さＬ２−Ｌ３の分、フランジ部１１の後方端１３ｅより前方へ浮いた状態となる。このため、後方端３２ａと据付面２との間には、長さＬ２−Ｌ３の隙間３８が生じる。前後方向における枠部３２の幅が立ち上がり部１３の幅Ｌ２と同じであるとした場合、前後方向における隙間３８の幅は、幅Ｌ２から上記の間隔Ｌ３を差し引いた長さＬ２−Ｌ３に相当する。
【００５５】
当接部２４ａと突起３６ｂとの位置関係も、当接部２４ｂと突起３６ａとの位置関係と同様であるため、突起３６ｂは、立ち上がり部１３のうち当接部２４ａの下方端より下方の部分に当接する。突起３６ａ，３６ｂが立ち上がり部１３に当接することで、本体フレーム５に対して意匠グリル６に不安定な浮きが生じる。このように、第２の方向とされた意匠グリル６がフランジ部１１へ押し当てられた場合には、意匠グリル６に不安定な浮きが生じることで、作業者は、意匠グリル６の取り付けにおける異常を認識することができる。
【００５６】
図９は、図３に示すフランジ部１１への意匠グリル６の取り付けについて説明する第３の図である。図９では、第２の向きの１つである横向きとされた意匠グリル６がフランジ部１１へ押し当てられた状態を示している。図９には、意匠グリル６が押し当てられているときの換気扇１００の全体の構成を示すとともに、換気扇１００のうち立ち上がり部１３と突起３６ａとを含む部分を拡大して示している。
【００５７】
意匠グリル６が横向きとされていることで、爪部３４，３５の位置は、掛け留め部２２，２３の位置とは異なる位置となる。爪部３４，３５の位置が掛け留め部２２，２３の位置とは異なる位置となることで、掛け留め部２２，２３への爪部３４，３５の正常な嵌め込みはなされない。
【００５８】
意匠グリル６は、横向きとされることで、意匠グリル６の矩形のうち突起３６ａに隣接する１辺が、フランジ部１１の矩形のうち上部の１辺あるいは下部の１辺に合わせられて、フランジ部１１へ押し当てられる。図９には、意匠グリル６の矩形のうち突起３６ａに隣接する１辺が、フランジ部１１の矩形のうち下部の１辺に合わせられている状態を示している。フランジ部１１のうち突起３６ａに対応する位置には、当接部２４ａ，２４ｂ，２４ｃ，２４ｄが設けられていないため、突起３６ａの後方端３６ｃは、立ち上がり部１３に当接する。このように、意匠グリル６が横向きとされてフランジ部１１へ押し当てられたときに、嵌め合わせ可能な位置に爪部３４，３５が到達する前に突起３６ａがフランジ部１１に当接可能とされている。意匠グリル６が横向きとされた場合における爪部３４，３５が嵌め合わせ可能な位置は、立ち上がり部１３とされる。
【００５９】
意匠グリル６のうち突起３６ａが設けられている位置では、意匠グリル６の後方端３２ａが、長さＬ２−Ｌ３の分、フランジ部１１の後方端１３ｅより前方へ浮いた状態となる。このため、後方端３２ａと据付面２との間には、長さＬ２−Ｌ３の隙間３９が生じる。前後方向における枠部３２の幅が立ち上がり部１３の幅Ｌ２と同じであるとした場合、前後方向における隙間３９の幅は、幅Ｌ２から上記の間隔Ｌ３を差し引いた長さＬ２−Ｌ３に相当する。
【００６０】
意匠グリル６のうち突起３６ａに隣接する１辺がフランジ部１１のうち下部の１辺に合わせられている場合、意匠グリル６のうち突起３６ｂに隣接する１辺は、フランジ部１１のうち上部の１辺に合わせられている。突起３６ｂは、突起３６ａと同様に、立ち上がり部１３に当接する。
【００６１】
突起３６ａ，３６ｂが立ち上がり部１３に当接することで、本体フレーム５に対して意匠グリル６に不安定な浮きが生じる。このように、横向きとされた意匠グリル６がフランジ部１１へ押し当てられた場合には、意匠グリル６に不安定な浮きが生じることで、作業者は、意匠グリル６の取り付けにおける異常を認識することができる。
【００６２】
仮に、意匠グリル６に突起３６ａ，３６ｂが設けられていない場合に、意匠グリル６が第２の向きとされてフランジ部１１へ押し当てられた場合に、掛け留め部２２，２３へ爪部３４，３５が正常に嵌め込まれていなくても、掛け留め部２２，２３以外の立ち上がり部１３に爪部３４，３５が引っ掛かることがある。この場合、フランジ部１１に意匠グリル６が正常に取り付けられたように見受けられて、意匠グリル６の取り付け向きの誤りが見過ごされることがある。誤った向きで意匠グリル６が取り付けられた後に、意匠グリル６が本体から外れることがあり得る。
【００６３】
誤った向きとされた意匠グリル６がフランジ部１１へ強く押し当てられて、意匠グリル６が変形した状態のまま放置されることで、意匠グリル６は、塑性変形により、フランジ部１１に正常に嵌め込み可能な形状とは異なる形状となる場合がある。塑性変形の後に意匠グリル６の取り付け向きを修正しても、意匠グリル６の嵌合不良によって、意匠グリル６の安定した保持が困難となることがあり得る。
【００６４】
意匠グリル６が正しい取り付け向きとされてフランジ部１１へ押し当てられた場合には、爪部３４，３５が掛け留め部２２，２３へ嵌まり込むときの手応えとなるクリック感を作業者が感じ取る。作業者は、意匠グリル６の後方端３２ａ全体が据付面２へ当接することで意匠グリル６が安定な状態となるとともに、意匠グリル６をフランジ部１１へ嵌め込むときのクリック感を感じ取ることで、意匠グリル６が正しい取り付け向きとされて取り付けられたことを認識する。
【００６５】
一方、意匠グリル６が誤った向きとされてフランジ部１１へ押し当てられた場合に、据付面２からの意匠グリル６の浮きにより意匠グリル６が不安定な状態になるとともに、立ち上がり部１３への突起３６ａ，３６ｂの当接による抵抗感を作業者が感じ取る。作業者は、据付面２からの意匠グリル６の浮きができており、かつ上述のクリック感に代えて抵抗感を感じ取ることから、意匠グリル６の向きの誤りを認識することができる。換気扇１００の据え付け位置が室内の高所であるときのように、本体へ取り付けられるときの意匠グリル６を間近に見られない場合でも、作業者は、意匠グリル６が正しい取り付け向きであるか誤った向きであるかを容易に認識できる。これにより、換気扇１００の据え付けのときあるいはメンテナンスのときに意匠グリル６が誤った向きで取り付けられることを防止できる。
【００６６】
実施の形態１では、本体正面の外形および意匠グリル６の外形は、矩形以外の形状であっても良い。本体正面の外形および意匠グリル６の外形が円形である場合、意匠グリル６を正しい向きの状態から回転させても、意匠グリル６の外形は本体正面の外形に合致することになる。この場合にも、換気扇１００は、意匠グリル６が誤った向きで取り付けられることを防止できる。
【００６７】
第１の当接部である当接部２４ａと、第２の当接部である当接部２４ｂとは、フランジ部１１の矩形における左右の２辺に代えて、矩形における上下の２辺に設けられていても良い。当接部２４ａと当接部２４ｂとは、左右方向におけるフランジ部１１の中心である中心線Ｎ２上に位置している。この場合において、左右方向は、第１の方向に垂直な第２の方向であるものとする。また、突起３６ａ，３６ｂは、意匠グリル６の矩形における左右の２辺に隣接する位置に代えて、矩形における上下の２辺に隣接する位置にそれぞれ設けられる。第１の突起である突起３６ａは、上下の２辺のうちの一方に隣接する位置であって、左右方向において中心線Ｎ４から長さＬ１５の位置に立てられる。第２の突起である突起３６ｂは、上下の２辺のうちの他方に隣接する位置であって、左右方向において中心線Ｎ４から長さＬ１５の位置に立てられる。この場合も、換気扇１００は、突起３６ａ，３６ｂが設けられていることで、意匠グリル６が誤った向きで取り付けられることを防止できる。
【００６８】
また、意匠グリル６は、第１の突起である突起３６ａと第２の突起である突起３６ｂとのうちの一方のみを備えるものであっても良い。換気扇１００は、突起３６ａと突起３６ｂとのうちの一方が設けられていることで、意匠グリル６が誤った向きで取り付けられることを防止できる。
【００６９】
実施の形態１によると、換気扇１００は、突起３６ａ，３６ｂを有する意匠グリル６を備える。突起３６ａ，３６ｂは、正しい取り付け向きとは異なる向きとされた意匠グリル６が本体フレーム５に押し当てられたときにフランジ部１１に当接可能に設けられている。突起３６ａ，３６ｂが設けられていることにより、換気扇１００は、意匠グリル６の取り付け向きの誤りを容易に認識でき、意匠グリル６の確実な取り付けが可能となるという効果を奏する。
【００７０】
また、意匠グリル６の背面３１ａには、突起３６ａ，３６ｂ以外の複数の突起３７が設けられている。これにより、換気扇１００は、フランジ部１１と意匠グリル６との接触によりフランジ部１１にキズが生じ得る範囲を抑制することができる。
【００７１】
実施の形態２．
図１０は、本発明の実施の形態２にかかる換気扇１００に備えられた意匠グリル４０の後方斜視図である。実施の形態２にかかる換気扇１００は、格子タイプの意匠グリル６に代えて、格子３３を持たないインテリアパネルタイプの意匠グリル４０を備える。実施の形態２にかかる換気扇１００のうち意匠グリル４０以外の構成は、実施の形態１にかかる換気扇１００と同様である。実施の形態２では、上記の実施の形態１と同様の構成要素には同一の符号を付し、実施の形態１と重複する説明を省略する。
【００７２】
意匠グリル４０は、図１に示す本体フレーム５を覆う前面部４１と、前面部４１の外縁全体に設けられ前面部４１から後方へ向けて立てられた枠部４２と、前面部４１の正面側に設けられたインテリアパネル４３とを備える。第２の嵌合部である爪部３４，３５は、枠部４２に設けられている。意匠グリル４０の取り付け向きの誤り防止のための突起３６ａ，３６ｂは、前面部４１に設けられている。前面部４１における突起３６ａ，３６ｂの位置は、実施の形態１の前面部３１における突起３６ａ，３６ｂの位置と同様である。
【００７３】
実施の形態２においても、換気扇１００は、突起３６ａ，３６ｂが設けられていることで、意匠グリル４０の取り付け向きの誤りを容易に認識でき、意匠グリル４０の確実な取り付けが可能となるという効果を奏する。
【００７４】
なお、意匠グリル４０には、実施の形態１の意匠グリル６と同様に、複数の突起３７が設けられていても良い。換気扇１００は、突起３７が設けられていることで、本体フレーム５のうち意匠グリル４０との接触によるキズが生じ得る範囲を抑制することができる。
【００７５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７６】
１  パイプ、２  据付面、３  開口、４  送風機、５  本体フレーム、６，４０  意匠グリル、７  回転軸、８  羽根車、９  電動機、１０  風洞、１１  フランジ部、１２  開口部、１３  立ち上がり部、１３ａ，１３ｂ，１３ｃ，１３ｄ  部分、１３ｅ，３２ａ，３６ｃ  後方端、１３ｆ  前方端、１４  脚部、１５  橋絡部、１６  電動機カバー、１７  板バネ、１８  孔、１９  端子台、２０  結線部保護カバー、２１  木ネジ、２２，２３  掛け留め部、２４ａ，２４ｂ，２４ｃ，２４ｄ  当接部、２５  平坦部、３１，４１  前面部、３１ａ  背面、３２，４２  枠部、３３  格子、３４，３５  爪部、３６ａ，３６ｂ，３７  突起、３８，３９  隙間、４３  インテリアパネル、１００  換気扇、Ｎ１，Ｎ２，Ｎ３，Ｎ４  中心線。
【図１】
2019060558.tif 000003
【図２】
2019060558.tif 000004
【図３】
2019060558.tif 000005
【図４】
2019060558.tif 000006
【図５】
2019060558.tif 000007
【図６】
2019060558.tif 000008
【図７】
2019060558.tif 000009
【図８】
2019060558.tif 000010
【図９】
2019060558.tif 000011
【図１０】
2019060558.tif 000012